(57)【特許請求の範囲】
【請求項１】
コンクリート型枠に固定された位置決め板と、
前記位置決め板に下端が嵌合され、受皿部と該受皿部から下方に延成された排水管部とからなるドレイン本体の、その受皿部の下底面とコンクリート型枠との間に介装されて、ドレイン本体を前記コンクリート型枠上に所要間隔で支持する筒状スペーサと、
前記ドレイン本体の受皿部の内底面、もしくは受皿部の周壁上面に乗載した挟圧板をコンクリート型枠側に圧接して、前記筒状スペーサとで受皿部を挟持する挟持手段と
を備えたドレイン本体の固定装置において、
断面略コ字形に形成され、下方に向けて開口する嵌入溝を備えてなる環状緩衝体を、前記筒状スペーサの上端部に密嵌することにより、該環状緩衝体の上縁を、筒状スペーサの上端と前記受皿部の下底面との間に介装するとともに、前記筒状スペーサの外周面側に突出する環状緩衝体の外周縁を、筒状スペーサの外周囲に打設されるコンクリート内に埋入する係止縁としたことを特徴とするドレイン本体の固定装置。
【発明の詳細な説明】
【０００１】
【発明の属する技術分野】
本発明は、ルーフドレインのドレイン本体を、コンクリートの打設前にコンクリート型枠に固定するための固定装置に関する。
【０００２】
【従来の技術】
ドレイン本体の固定装置としては、図５に示すように、コンクリート型枠ａの所定位置に固定した円形の位置決め板ｂに筒状スペーサｃの下端を嵌合し、該筒状スペーサｃ上にドレイン本体Ａの受皿部ｄを載置することにより、排水管部ｅを下方突成したドレイン本体Ａの受皿部ｄの下底面と、コンクリート型枠ａとの間に、前記排水管部ｅを囲うようにして筒状スペーサｃを介装させて、該筒状スペーサｃによってドレイン本体Ａをコンクリート型枠ａに対して所要間隔で支持させる一方、前記受皿部ｄの内底面ｆ上に挟圧板ｇを乗載し、前記位置決め板ｂの中央部に立設した螺子杆ｈを該挟圧板ｇの中心透孔ｉに挿通させ、その挟圧板ｇ上に突出する螺子杆ｈの上端部に螺着した蝶ナットｊの緊締作用により、挟圧板ｇをコンクリート型枠ａ側に圧接して、該挟圧板ｇと筒状スペーサｃとで受皿部ｄを挟持する挟持手段によって、ドレイン本体Ａを固定するようにしたものが知られている。
【０００３】
また、このように固定されたドレイン本体Ａには、外周囲に打設されるコンクリートｐの流入を防止する養生蓋ｋが受皿部ｄを覆うように被着される。該養生蓋ｋは、その中央の透孔ｍに挿通した前記螺子杆ｈの突出端にバネクリップｎ等を止着することにより固定されている。
【０００４】
そして、この状態で型枠ａ内にコンクリートｐを打設するようにしている。
【０００５】
【発明が解決しようとする課題】
この種の固定装置にあっては、打設したコンクリートｐが凝固した後、固定装置を除去すると、筒状スペーサｃがコンクリートｐの接着力によって保持され、ドレイン本体Ａの下部に残されることとなる。ここで、筒状スペーサｃは、排水管部ｅに接続される縦樋を挿通するための挿通孔ｒの内周面を覆うものとなり、該挿通孔ｒのコンクリートの地肌を隠してその外観を向上し得るものとなる。
【０００６】
ところが、前記のようにコンクリートｐを打設した後、その養生中にコンクリートｐの収縮・膨張によって筒状スペーサｃの外周とコンクリートｐとの間に隙間が生じることがあり、このような隙間が生じた場合には、コンクリートｐの凝固後に型枠ａを取り外すと、筒状スペーサｃが脱落してしまうという問題点がある。
【０００７】
また、前記固定装置によってドレイン本体Ａを固定した状態にあって、筒状スペーサｃの上端が当接する受皿部ｄの下底面に凹凸があると、この凹凸に起因して受皿部ｄの下底面と筒状スペーサｃの上端との間に隙間が生ずることとなり、打設されたコンクリートｐが前記隙間から筒状スペーサｃ内に流入して、内部を汚損するという問題点がある。
【０００８】
本発明は、かかる従来構成の問題点を解消することを目的とするものである。
【０００９】
【課題を解決するための手段】
本発明は、コンクリート型枠に固定された位置決め板と、
前記位置決め板に下端が嵌合され、受皿部と該受皿部から下方に延成された排水管部とからなるドレイン本体の、その受皿部の下底面とコンクリート型枠との間に介装されて、ドレイン本体を前記コンクリート型枠上に所要間隔で支持する筒状スペーサと、
前記ドレイン本体の受皿部の内底面、もしくは受皿部の周壁上面に乗載した挟圧板をコンクリート型枠側に圧接して、前記筒状スペーサとで受皿部を挟持する挟持手段と
を備えたドレイン本体の固定装置において、
断面略コ字形に形成され、下方に向けて開口する嵌入溝を備えてなる環状緩衝体を、前記筒状スペーサの上端部に密嵌することにより、該環状緩衝体の上縁を、筒状スペーサの上端と前記受皿部の下底面との間に介装するとともに、前記筒状スペーサの外周面側に突出する環状緩衝体の外周縁を、筒状スペーサの外周囲に打設されるコンクリート内に埋入する係止縁としたことを特徴とするドレイン本体の固定装置である。
【００１０】
かかる構成にあって、筒状スペーサの外周囲に打設したコンクリートが凝固すると、該コンクリート内に埋入された環状緩衝体の係止縁によって筒状スペーサが保持される。これにより、筒状スペーサの外周とコンクリートとの間に隙間が生じても、筒状スペーサが脱落することがない。
【００１１】
また、固定装置によってドレイン本体を固定した状態にあって、環状緩衝体の上縁が、筒状スペーサの上端と受皿部の下底面との間に圧縮状態で介装されることにより、受皿部の下底面に凹凸があっても、該凹凸を環状緩衝体によって吸収することができる。これにより、前記凹凸に起因する隙間が生じることがなく、該隙間からのコンクリートの流入を防止することができる。
【００１２】
【発明の実施の形態】
以下に、本発明の一実施例を、図１，図２について説明する。
【００１３】
１は、ルーフドレインのドレイン本体であって、該ドレイン本体１は、コンクリートｐの打設前に固定装置２によってコンクリート型枠３の所定位置に固定される。
【００１４】
４は、前記固定装置２を構成する円形の位置決め板であって、該位置決め板４は、前記コンクリート型枠３の上面の所定位置に固定され、該位置決め板４に下端を外嵌した筒状スペーサ５上に前記ドレイン本体１が載置される。該ドレイン本体１は受皿部６と該受皿部６から下方突成された排水管部７とからなり、該排水管部７を囲うようにして前記筒状スペーサ５を受皿部６の下底面６ａとコンクリート型枠３との間に介装させて、ドレイン本体１をコンクリート型枠３上に所要間隔で支持するようにしている。
【００１５】
また、前記筒状スペーサ５の上端部には環状緩衝体８が嵌着される。該環状緩衝体８は、図２に示すように、断面略コ字形に形成され、下方に向けて開口する嵌入溝９を備えている。該嵌入溝９は、その溝幅が前記筒状スペーサ５の肉厚と略等しく、かつ、その直径が筒状スペーサ５の直径より若干小さい寸法で形成されている。そして、環状緩衝体８を押し広げて嵌入溝９内に筒状スペーサ５の上端を強制的に嵌入することにより、該筒状スペーサ５の上端部に環状緩衝体８を密嵌するようにしている。これにより、環状緩衝体８の上縁１０が、筒状スペーサ５の上端と前記受皿部６の下底面６ａとの間に介装されている。また、このように、筒状スペーサ５の上端部に環状緩衝体８を密嵌することにより、該環状緩衝体８の外周縁が筒状スペーサ５の外周面側に突出することとなり、この環状緩衝体８の外周縁を、筒状スペーサ５の外周囲に打設されるコンクリートｐ内に埋入させてその下面を凝固したコンクリートｐに係止される係止縁１１としている。ここで、環状緩衝体８は、適宜の弾性を備えたものが望ましく、その材質としてゴム，軟質合成樹脂等の弾性材を好適に使用することができる。
【００１６】
さらに、前記位置決め板４の中心部にはナットを固着してなる雌螺子部１２が設けられ、該雌螺子部１２に下端を螺合することにより螺子杆１３が立設される。また、前記受皿部６の周縁６ｂの上面には、受皿部６を覆うようにして抜き型を兼ねた挟圧板１４が乗載される。そして、該挟圧板１４の中央に形成された透孔１５に前記螺子杆１３を挿通させ、挟圧板１４上に突出する螺子杆１３の上端部にナット１６を螺着して、その緊締作用により、挟圧板１４をコンクリート型枠３側に押圧させて、該挟圧板１４と前記筒状スペーサ５とで受皿部６を挟持することにより、ドレイン本体１を固定するようにしている。そして、この螺子杆１３及びナット１６を、挟圧板１４をコンクリート型枠３側に押圧して、筒状スペーサ５とで受皿部６を挟持させる挟持手段としている。また、前記挟圧板１４によって、型枠３へのコンクリートｐの打設時に、該コンクリートｐの受皿部６内への流入を防止する養生蓋と、受皿部６の上部周縁に排水溝を形成する抜き型とを兼用するようにしている。
【００１７】
これにより、ドレイン本体１の固定装置２が構成されている。
【００１８】
かかる構成にあって、図１に示すように、ドレイン本体１を固定装置２によってコンクリート型枠３に固定すると、筒状スペーサ５の上端と受皿部６の下底面６ａとの間に介装されている環状緩衝体８の上縁１０が圧縮状態となり、該上縁１０が圧接する受皿部６の下底面６ａに凹凸があっても、該凹凸が環状緩衝体８の弾性作用を介して吸収されて隙間が生じない。そしてこの状態でコンクリート型枠３内にコンクリートｐを打設することにより、該コンクリートｐが筒状スペーサ５の上端と受皿部６の下底面６ａとの間から筒状スペーサ５内に流入せず、該筒状スペーサ５内の汚損を防止することができる。
【００１９】
また、打設したコンクリートｐが凝固したら、ナット１６を緩めて除去し、挟圧板１４を上方に引き抜いて螺子杆１３から取り外した後、コンクリート型枠３を取り外すと位置決め板４及び螺子杆１３も同時に除去される。このように各部品を取り外すと、凝固したコンクリートｐ内には、ドレイン本体１の下部に筒状スペーサ５が残される状態となる。ここで、打設したコンクリートｐの養生中にコンクリートｐの収縮・膨張によって筒状スペーサ５の外周とコンクリートｐとの間に隙間が生じていても、筒状スペーサ５の上端部に密嵌された環状緩衝体８の係止縁１１が、凝固したコンクリートｐ内に埋入されていることにより、該係止縁１１によって筒状スペーサ５が保持されることとなり、該筒状スペーサ５の脱落を防止することができる。
【００２０】
尚、上記実施例では、筒状スペーサ５の外周面側に突出する環状緩衝体８の外周縁を上下方向に亘って同一肉厚で形成し、その下面に係止縁１１が生ずるようにしているが、これに代えて図３に示すように、環状緩衝体８の外周縁を、下端から上方に至るに従って厚肉となるように傾斜させ、その傾斜面を係止縁１１としてもよい。
【００２１】
また、上記実施例では、挟圧板１４を、受皿部６の周縁６ｂの上面に乗載して、抜き型及び養生蓋の機能も得られるようにした構成について説明したが、これに代えて図４に示すように、挟圧板１４を、受皿部６の内底面６ｃに乗載し、該挟圧板１４の中央の透孔１５に螺子杆１３を挿通させ、挟圧板１４上に突出する螺子杆１３にナット１６を螺着して、その緊締作用により、挟圧板１４をコンクリート型枠３側に押圧させるようにしてもよい。この場合には、受皿部６を覆う養生蓋１７が別途設けられる。
【００２２】
【発明の効果】
本発明は上述のように、ドレイン本体１をコンクリート型枠３上に所要間隔で支持する筒状スペーサ５の上端部に、断面略コ字形に形成され、下方に向けて開口する嵌入溝９を備えてなる環状緩衝体８を密嵌することにより、該環状緩衝体８の上縁１０を、筒状スペーサ５の上端とドレイン本体１の受皿部６の下底面６ａとの間に介装するとともに、前記筒状スペーサ５の外周面側に突出する環状緩衝体８の外周縁を、筒状スペーサ５の外周囲に打設されるコンクリートｐ内に埋入する係止縁１１としたから、筒状スペーサ５の外周囲に打設したコンクリートｐが凝固すると、該コンクリートｐ内に埋入された環状緩衝体８の係止縁１１によって筒状スペーサ５を保持することができる。これにより、打設したコンクリートｐの養生中に筒状スペーサ５の外周とコンクリートｐとの間に隙間が生じても、筒状スペーサ５の脱落を防止することができる。
【００２３】
また、固定装置２によってドレイン本体１を固定した状態にあって、環状緩衝体８の上縁１０が、筒状スペーサ５の上端と受皿部６の下底面６ａとの間に圧縮状態で介装されることにより、前記下底面６ａに凹凸があっても、該凹凸を環状緩衝体８によって吸収することができる。これにより、前記凹凸に起因する隙間が生じることがなく、該隙間からのコンクリートｐの流入を防止することができる等の優れた効果がある。
【図面の簡単な説明】
【図１】本発明の実施例の縦断側面図である。
【図２】本発明の要部である環状緩衝体の一部を切欠した状態の拡大斜視図である。
【図３】同上の環状緩衝体の他の形状の係止縁を示す拡大断面図である。
【図４】他の実施例の縦断側面図である。
【図５】従来構成を示す縦断側面図である。
【符号の説明】
１  ドレイン本体
３  コンクリート型枠
２  固定装置
４  位置決め板
５  筒状スペーサ
６  受皿部
６ａ  下底面
６ｂ  周壁
６ｃ  内底面
７  排水管部
８  環状緩衝体
９  嵌入溝
１１  係止縁
１４  挟圧板
ｐ  コンクリート
【図１】
0003942726.tif 000002
【図２】
0003942726.tif 000003
【図３】
0003942726.tif 000004
【図４】
0003942726.tif 000005
【図５】
0003942726.tif 000006